(57)【要約】【課題】本発明は、ユーザの使い勝手を向上する。【解決手段】本発明のブロック玩具用具３０は、可撓性のある材質で形成され、ブロック玩具に嵌合させるための円柱突起が規則的に配列された第１の平面部３１と、第１の平面部３１と近い大きさの第２の平面部３２と、第１の平面部３１及び第２の平面部３２を、同一平面上及び対向して配置させ得るように第１の平面部３１及び第２の平面部３２を接続する接続部３３とを有するようにした。【選択図】図３
2017035120.tif 000002
【特許請求の範囲】
【請求項１】
可撓性のある材質で形成され、ブロック玩具に嵌合させるための円柱突起が規則的に配列された第１の平面部と、
前記第１の平面部と近い又は同一の大きさの第２の平面部と、
前記第１及び第２の平面部を、同一平面上及び対向して配置させ得るように前記第１及び第２の平面部を接続する接続部と
を有することを特徴とするブロック玩具用具。
【請求項２】
第２の平面部において、少なくとも前記接続部と隣接する辺を除く３辺に、前記第２の平面部の周縁を囲む周縁壁部
を有することを特徴とする請求項１に記載のブロック玩具用具。
【請求項３】
前記第１及び第２の平面部を同一平面内に配置させた状態において、前記第１及び第２の平面部の周縁を囲む周縁壁部
を有することを特徴とする請求項１に記載のブロック玩具用具。
【請求項４】
前記接続部は、
前記周縁壁部とほぼ同一幅を有しており、
前記第１及び第２の周縁壁部を同一平面内に配置させた状態において、前記周縁壁部と並ぶ接続壁部を有する
ことを特徴とする請求項３に記載のブロック玩具用具。
【請求項５】
前記第１及び第２の平面部を対向して配置させた状態に保つ係止部
を有することを特徴とする請求項１に記載のブロック玩具用具。
【請求項６】
前記第１及び第２の平面部、並びに前記接続部は、
同一の材質により形成されている
ことを特徴とする請求項１に記載のブロック玩具用具。
【発明の詳細な説明】
【技術分野】
【０００１】
本発明は、ブロック玩具を用いて種々の形象を作製する際に適用して好適なものである。
【背景技術】
【０００２】
従来、４つの側面と、円柱状の円柱突起を有する天井面と、開口する底面を有するブロック玩具が広く知られている。このブロック玩具では、円柱突起の数が様々なブロックを適宜組み合わせ、ブロックを組み上げていくことにより、動物や鉄道など種々の形象を形作ることが可能となっている。
【０００３】
このようなブロック玩具として、４ｍｍ×４ｍｍ×３ｍｍ程度の直方体を１単位とする、小さいサイズのブロック玩具が知られている（例えば、特許文献１参照）。この小さいサイズのブロック玩具では、通常サイズのブロック玩具よりも小さい形象を作製することが可能である。
【先行技術文献】
【特許文献】
【０００４】
【特許文献１】特開２０１０−１７２５６８号公報
【発明の概要】
【発明が解決しようとする課題】
【０００５】
かかる構成のブロック玩具では、円柱突起を多数有するボード状のブロック玩具上で組立を行うことにより、ブロック玩具間の間隔などを正確に位置決めでき、ブロック玩具の組み立て作業を容易にすることができる。
【０００６】
しかしながら、ボード状のブロック玩具上で組立てられたブロック玩具を取り外すのが難しく、形象によっては一部を分解する必要が生じてしまうなど、ユーザの使い勝手が悪いという問題があった。
【０００７】
本発明は以上の点を考慮してなされたもので、ユーザの使い勝手を向上させるブロック玩具用具を提供するものである。
【課題を解決するための手段】
【０００８】
かかる課題を解決するため、本願発明のブロック玩具においては、可撓性のある材質で形成され、ブロック玩具に嵌合させるための円柱突起が規則的に配列された第１の平面部と、第１の平面部と近い又は同一の大きさの第２の平面部と、第１及び第２の平面部を、同一平面上及び対向して配置させ得るように第１及び第２の平面部を接続する接続部とを有するようにした。
【０００９】
これにより、ブロック玩具では、第２の平面部で広げたブロック玩具を選択しながら、第１の平面部上に形成された円柱突起を使ってブロック玩具を組立てることができると共に、使用しないときには、第１の平面部と第２の平面部とを折りたたむことができる。
【発明の効果】
【００１０】
本発明によれば、ブロック玩具用具では、第２の平面部で広げたブロック玩具を選択しながら、第１の平面部上に形成された円柱突起を使ってブロック玩具を組立てることができると共に、使用しないときには、第１の平面部と第２の平面部とを折りたたむことができ、ユーザの使い勝手を向上させ得るブロック玩具用具を実現できる。
【図面の簡単な説明】
【００１１】
【図１】ブロック玩具の構成を示す略線図である。
【図２】ブロック玩具の底面図を示す略線図である。
【図３】ブロック玩具用具の構成を示す略線図である。
【図４】第１の平面部の構成を示す略線図である。
【図５】折りたたんだ状態のブロック玩具用具を示す略線図である。
【図６】ブロック玩具用具の使用の説明に供する略線図である。
【図７】他の実施の形態によるブロック玩具用具の構成を示す略線図である。
【発明を実施するための形態】
【００１２】
ブロック玩具は、様々な大きさの単位ブロックから構成されている。図１に示す８単位ブロック２１を用いて、一般的なブロック玩具の構成を説明する。
【００１３】
８単位ブロック２１は、全体として直方体形状であり、基台部２２と、８つの円柱突起２３とを有している。基台部２２は、４つの側壁２４と、天面２５との５面からなり、天面２５と対向する底面部分は開口している。
【００１４】
８単位ブロックは、円柱突起２３を１つだけ有する１単位ブロック（基台部２２のサイズが約４mm×４mm×３mm）を８つ連結したのとほぼ同一サイズである。他にも、円柱突起２３を２つ有する２単位ブロック、４つ有する４単位ブロック、１６つ有する１６単位ブロックなど、１単位ブロックを整数個連結したサイズでなる種々の単位ブロックが存在する。
【００１５】
図２に示すように、底面部分は開口しており、他のブロックが挿入されたときの保持力を調整するための保持羽根２６が設けられている。当該底面から他のブロックの円柱突起２３が挿入されると、他ブロックの円柱突起２３は、側壁２４とこの保持羽根２６によって保持される。保持羽根２６は、必須ではなく、単位ブロックの単位数と並び方などによって適宜設けられている。円柱突起２３の直径は約２．５mm、高さは約１．７mmである。また、円柱突起２３の中心間の間隔は、約４ｍｍに設定されている。
【００１６】
図３に示すように、本願発明は、ブロック玩具用具３０に関する。ブロック玩具用具３０は、第１の平面部３１と、第２の平面部３２と、第１の平面部３１及び第２の平面部３２の間に設けられた接続部３３を有している。ブロック玩具用具３０は、樹脂材料を用いて０．５ｍｍ〜２．０ｍｍの厚さで一体的に形成されている。樹脂材料としては、例えばシリコン樹脂やウレタン樹脂などの可撓性のあるものが好ましく、滑り止め効果のあるものが特に好ましい。
【００１７】
第１の平面部３１には、円柱突起３４が複数設けられている。この円柱突起３４は、ブロック玩具における円柱突起２３とほぼ同一のサイズ及び間隔で設けられている。このため、円柱突起３４は、ブロック玩具の底面部分が挿入されると、ブロック玩具を保持することができる。
【００１８】
図４に示すように、第１の平面部３１は、例えば約１３ｃｍ×８ｃｍであり、横２０×縦３２個の円柱突起３４が設けられている。なお、第１の平面部３１の大きさ及び円柱突起３４の数に制限はないが、ブロック玩具の組立の作業性を良好にするために、円柱突起３４の数は、２００〜２０００個程度にすることが好ましい。
【００１９】
一方、第２の平面部３２（図３）は、第１の平面部３１よりも僅かに小さく形成されている。第２の平面部３２の表面は、平滑に形成されている。
【００２０】
また、第１の平面部３１における、接続部３３と隣接する辺を除く３辺に、壁部３５Ａが設けられている。第２の平面部３２も同様であり、接続部３３と隣接する辺を除く３辺に、壁部３５Ｂが設けられている。
【００２１】
また、接続部３３の端部には、壁部３５Ａ及び３５Ｂと分離した状態で台形状の壁部３５Ｃが設けられている。すなわち、ブロック玩具用具３０の全体を囲むように、壁部３５（３５Ａ〜Ｃ）が設けられている。壁部３５Ａ〜Ｃの高さに制限はないが、０．５〜５．０ｃｍ、特に１．０〜３．０ｃｍ程度であることが好ましい。
【００２２】
接続部３３は、その幅がほぼ壁部３５Ａと同一の高さに形成されており、第１の平面部３１及び第２の平面部３２との境界部分に、２本の溝部３３ａが形成されている。
【００２３】
図５に示すように、第２の平面部３２を折り返すと、接続部３３の溝部３３ａに沿って折れ曲がることにより、第２の平面部３２が第１の平面部３１と対向する位置に配置される。
【００２４】
これにより、ブロック玩具用具３０は、第１の平面部３１及び第２の平面部３２を同一平面内に配置させた場合と比較して、そのサイズを半分以下と小さくすることが可能となる。
【００２５】
このとき、壁部３５Ａに形成された凹状の係止部３８Ａと、壁部３５Ｂに形成された凸状の係止部３８Ｂが嵌合し、第２の平面部３２が第１の平面部３１に対して係止される。
【００２６】
なお、第２の平面部３２（図３）は、第１の平面部３１よりも僅かに小さく形成されると共に、壁部３５Ｂは壁部３５Ａよりも僅かに低く形成されている。これにより、ブロック玩具用具３０は、折りたたんだときに、壁部３５Ａ内に壁部３５Ｂを収納してコンパクトにでき、さらに内部に収納したブロック玩具を確実に保持し得る。
【００２７】
図６に示すように、ブロック玩具用具３０は、ブロック玩具を組立てるときに使用されることが想定されている。ブロック玩具用具３０は、第１の平面部３１及び第２の平面部３２を同一平面内に配置させた状態で使用される。
【００２８】
第２の平面部３２には、まだ組立に使用されていないブロック玩具が載置されことが想定されている。ユーザがブロック玩具を組立てるときには、第１の平面部３１に形成された円柱突起３４を用いて、ブロック玩具を組立てることができる。
【００２９】
ブロック玩具用具３０の周縁には、壁部３５が形成されているため、小さくて紛失しやすいブロック玩具が、誤ってブロック玩具用具３０の外部に出てしまうことを防止することができる。
【００３０】
ユーザがブロック玩具の組立を完了すると、第１の平面部３１から組立済みのブロック玩具が取り外される。
【００３１】
仮に、可撓性のない硬質プラスチックで第１の平面部を作製すると、組立済みのブロック玩具の取り外しが大変困難であり、形象によっては、分解に近い状態にしないと取り外すことができない。
【００３２】
しかしながら、ブロック玩具用具３０は、可撓性のある樹脂材料で形成されているため、第１の平面部３１が変形することにより、簡単に組立済みのブロック玩具が取り外されることができる。
【００３３】
そしてブロック玩具用具３０は、使用が終了すると、半分以下のサイズに折りたたむことができるため、鞄などにいれて携帯することが可能となる。
【００３４】
また、ブロック玩具用具３０は、係止部３８（３８Ａ及び３８Ｂ）を有するため、第２の平面部３２が蓋の役割を果たすことができ、ブロック玩具を内部に入れた状態で携帯することが可能となり、いつでも好きな場所でユーザにブロック玩具を楽しませることができる。
【００３５】
以上の構成によれば、本発明のブロック玩具用具３０は、可撓性のある材質で形成され、ブロック玩具に嵌合させるための円柱突起が規則的に配列された第１の平面部３１と、第１の平面部３１と近い大きさの第２の平面部３２と、第１の平面部３１及び第２の平面部３２を、同一平面上及び対向して配置させ得るように第１の平面部３１及び第２の平面部３２を接続する接続部３３とを有するようにした。
【００３６】
これにより、ブロック玩具用具３０は、第２の平面部３２に未使用のブロック玩具を載置しながら、第１の平面部３１上の円柱突起３４を利用してブロック玩具を組立て、組立後はその可撓性により、簡単にブロック玩具を取り外すことができると共に、使用後は半分以下のサイズに折りたたんで持ち歩きを容易にさせることができ、ユーザの使い勝手を向上させることとができる。
【００３７】
ブロック玩具用具３０は、第２の平面部３２において、少なくとも接続部３３と隣接する辺を除く３辺に、第２の平面部３２の周縁を囲む周縁壁部としての壁部３５Ｂを有する。
【００３８】
これにより、ブロック玩具用具３０は、ユーザがうっかりブロック玩具をはじいてしまった場合であっても、ブロック玩具が壁部３５Ｂの外部に出てしまうことを防ぎ得るため、ブロック玩具が紛失したり、机の下に落ちてしまったりすることを防止し得る。
【００３９】
ブロック玩具用具３０は、第１の平面部３１及び第２の平面部３２を同一平面内に配置させた状態において、第１の平面部３１及び第２の平面部３２の周縁を囲む周縁壁部としての壁部３５Ａ及び３５Ｂを有する。
【００４０】
これにより、ブロック玩具用具３０は、ブロック玩具がブロック玩具用具３０の外部に出てしまうことを防ぎ得る。
【００４１】
接続部３３は、壁部３５Ａ及び３５Ｂとほぼ同一幅を有しており、第１の平面部３１及び第２の平面部３２を同一平面内に配置させた状態において、壁部３５Ａ及び３５Ｂと並ぶ壁部３５Ｃを有する。
【００４２】
これにより、ブロック玩具用具３０は、壁部３５Ａ及び３５Ｂの間に形成された接続部３３にも壁部３５Ｃを有するため、接続部３３からブロック玩具が外部に出てしまうのを防止し得る。
【００４３】
ブロック玩具用具３０は、第１の平面部３１及び第２の平面部３２を対向して配置させた状態に保つ係止部３８を有する。これにより、ブロック玩具用具３０は、不使用時において、ブロック玩具用具３０が折りたたまれた形状を保持し得、携帯性を向上させ得ると共に、ブロック玩具用具３０内にブロック玩具を収納し得る。
【００４４】
第１の平面部３１及び第２の平面部３２、並びに接続部３３は、同一の材質により形成されている。例えば、ブロック玩具用具３０は、射出成形などにより一体的に形成されることにより、安価に製造することが可能である。
【００４５】
＜他の実施の形態＞
なお、上述した実施の形態においては、ブロック玩具用具３０が壁部３５Ａ〜３５Ｃと、係止部３８を有するようにした場合について述べた。本発明はこれに限らず、例えば、図７に示すブロック玩具用具１３０のように、第２の平面部１３２にのみ壁部１３５Ｂが形成されていても良い。この場合、接続部１３３は、単に溝のみの構成でなる。第１の平面部１３１に壁部が存在しないため、ブロック玩具の組立の作業を行い安くなる。また、同様の理由から、第１の平面部３１の高さを第２の平面部３２よりも低く形成することも可能である。なお、壁部１３５Ｂは必ずしも必須ではない。例えば、第２の平面部１３２の表面に凹凸をつけることにより滑り止め機能を設けることも可能である。
【００４６】
また、上述した実施の形態においては、ブロック玩具用具３０が、同一材料にて一体形成されているようにした場合について述べた。本発明はこれに限らず、第１の平面部３１のみが可撓性を有していればよく、他の部分については相違する材料を用いることができる。この場合、接続部３３は、例えば回転機構を有する部品などを用いることができる。
【００４７】
さらに、上述した実施の形態においては、ブロック玩具用具３０が１３×８ｃｍ程度のサイズであるようにした場合について述べた。本発明はこれに限らず、ブロック玩具用具３０のサイズや円柱突起３４の数に制限はない。また、円柱突起３４のサイズに制限はなく、種々のブロック玩具に合わせたサイズの円柱突起を設けることが可能である。また、ブロック玩具用具３０各部位における厚みについても特に制限はないが、強度などの関係上、好ましくは０．５〜３．０ｍｍ程度である。
【００４８】
また、上述した実施の形態においては、第２の平面部３２が第１の平面部３１よりも僅かに小さく形成されている用にした場合について述べた。本発明はこれに限らず、例えば第２の平面部３２が第１の平面部３１と同一の大きさで形成されていても良い。
【００４９】
さらに、上述した実施の形態においては、第１の平面部としての第１の平面部３１と、第２の平面部としての第２の平面部３２と、接続部としての接続部３３とによってブロック玩具用具としてのブロック玩具用具３０を構成するようにした場合について述べた。本発明はこれに限らず、その他種々の構成により、本発明のブロック玩具用具を構成するようにしても良い。
【符号の説明】
【００５０】
２１……８単位ブロック、２２……基台、２３、３４……円柱突起、３０……ブロック用玩具、３１……第１の平面部、３２……第２の平面部、３３……接続部、３３ａ……溝部、３５Ａ、３５Ｂ、３５Ｃ……壁部、３８Ａ、３８Ｂ……係止部
【図１】
2017035120.tif 000003
【図２】
2017035120.tif 000004
【図５】
2017035120.tif 000005
【図３】
2017035120.tif 000006
【図４】
2017035120.tif 000007
【図６】
2017035120.tif 000008
【図７】
2017035120.tif 000009